(57)【特許請求の範囲】
【請求項１】
壁に水平方向に取り付けるコ字形状の吊り下げレールと、その吊り下げレールに着脱自在に取り付ける吊り下げ具より成り、上記吊り下げレールの下板の前面側に前縁を形成し、上記吊り下げ具を係合部とその係合部下端に設けたフックにより構成し、上記係合部の係合爪を上記吊り下げレールの前縁と後板の間に嵌合させた吊り下げ装置において、上記係合部とフックの間に形成した軸部分に弾性スリーブを挿入し、その弾性スリーブの上端を上記吊り下げレールの前縁の下端に当接させるようにしたことを特徴とする絵画等の吊り下げ装置。
【請求項２】
壁に水平方向に取り付けるコ字形状の吊り下げレールと、その吊り下げレールに着脱自在に取り付ける吊り下げ具より成り、上記吊り下げレールの下板の前面側に前縁を形成し、上記吊り下げ具を係合部とその係合部下端に設けたフックにより構成し、上記係合部の係合爪を上記吊り下げレールの前縁と後板の間に嵌合させた吊り下げ装置において、２個の弾性リングをブリッジにより連結することにより２連リングを形成し、その２連リングの一方のリングを上記フックの根元部に挿入し、かつ、他方のリングを上記フックの先端部に挿入するようにしたことを特徴とする絵画等の吊り下げ装置。
【発明の詳細な説明】
【０００１】
【産業上の利用分野】
この発明は、美術館等において絵画等を吊り下げるために用いる吊り下げ装置に関する。
【０００２】
【従来の技術】
絵画等を吊り下げるために用いる吊り下げ装置は、壁に水平方向の吊り下げレールが取り付けられ、その吊り下げレールに吊り下げ具の係合部の係合爪が嵌合されているのが一般的である。この吊り下げ具は、係合部とその係合部下端に設けたフックにより構成され、そのフックの屈曲部にワイヤ等を引っかけて絵画等を吊り下げるようにしている。
【０００３】
【発明が解決しようとする課題】
しかし、上記の吊り下げ装置は、吊り下げレールの前縁と後板の間に吊り下げ具の係合部を嵌合させただけであるため、地震などの振動により、吊り下げ具が吊り下げレールから外れてしまう問題があり、このため高価な絵画等が落下し、多額の損害が発生することがあった。
【０００４】
また、吊り下げ具が吊り下げレールから外れない場合でも、上記のような振動により吊り下げ具のフックに引っかけられたワイヤが外れてしまう問題があり、上記と同様に絵画等が落下することがあった。
【０００５】
そこで、この発明の課題は、地震などの振動を受けた場合に、吊り下げ具により吊り下げられた絵画等が落下しないような吊り下げ装置を提供することである。
【０００６】
【課題を解決するための手段及び作用】
以上の課題を解決するために、第１の発明は、壁に水平方向に取り付けるコ字形状の吊り下げレールと、その吊り下げレールに着脱自在に取り付ける吊り下げ具より成り、上記吊り下げレールの下板の前面側に前縁を形成し、上記吊り下げ具を係合部とその係合部下端に設けたフックにより構成し、上記係合部の係合爪を上記吊り下げレールの前縁と後板の間に嵌合させた吊り下げ装置において、上記係合部とフックの間に形成した軸部分に弾性スリーブを挿入し、その弾性スリーブの上端を上記吊り下げレールの前縁の下端に当接させるようにした構成を採用したのである。
【０００７】
以上の吊り下げ装置は、弾性スリーブの上端を吊り下げレールの前縁の下端に接触させるようにしたので、振動を受けた場合に吊り下げ具が振動しても、吊り下げ具が吊り下げレールから外れるのを防止できる。
【０００８】
第２の発明は、壁に水平方向に取り付けるコ字形状の吊り下げレールと、その吊り下げレールに着脱自在に取り付ける吊り下げ具より成り、上記吊り下げレールの下板の前面側に前縁を形成し、上記吊り下げ具を係合部とその係合部下端に設けたフックにより構成し、上記係合部の係合爪を上記吊り下げレールの前縁と後板の間に嵌合させた吊り下げ装置において、２個の弾性リングをブリッジにより連結することにより２連リングを形成し、その２連リングの一方のリングを上記フックの根元部に挿入し、かつ、他方のリングを上記フックの先端部に挿入するようにした構成を採用したのである。
【０００９】
以上の吊り下げ装置は、２連リングの一方のリングを上記フックの根元部に挿入し、吊り下げ具のフックに絵画等を吊り下げるワイヤを引っかけた後、他方のリングを上記フックの先端部に挿入する。
【００１０】
これにより、振動を受けた場合にフックに引っかけられているワイヤが振動しても、２連リングのブリッジによりワイヤがフックから外れるのを防止できる。
【００１１】
【実施例】
以下、この発明の第１の実施例を図１乃至図３に基づいて説明する。
【００１２】
吊り下げ装置は、図１に示すように、吊り下げレール１とその吊り下げレール１に係合させる吊り下げ具１０より成る。
【００１３】
上記吊り下げレール１は、図２に示すように、壁２０前面に沿って水平方向に延びる後板２と、後板２の上下端で対向した上板３と下板４により構成されている。この下板４には、前縁５が形成されており、前縁５の下端には、壁２０に対する吊り下げレール１の取付け位置を決めるための位置決め部６が形成されている。この吊り下げレール１を継ぎ足すには、各吊り下げレール１の前縁５に形成された連結棒挿入部７にそれぞれ連結棒（図示省略）を挿入して接続する。
【００１４】
上記吊り下げ具１０は、図１に示すように、係合部１１とその係合部１１下端に屈曲形成されたフック１４より成る。
【００１５】
上記係合部１１には、図２に示すように、吊り下げレール１の前縁５と後板２の間に嵌合する係合爪１２が屈曲形成されている。この係合部１１とフック１４の根元部１５の間には、図２に示すように、フック１４の径よりも大きい径の軸部１３が形成されている。
【００１６】
上記軸部１３には、図１に示すように、ゴムや合成樹脂から成る弾性スリーブ１７が挿入されている。弾性スリーブ１７の上端には、つば１８が形成されており、中心には孔１９が設けられ、この孔１９にフック１４を先端から挿入し、弾性スリーブ１７を軸部１３に取り付けた際に、上記つば１８が前縁５下端の位置決め部６に当接するようにしておく。このつば１８を形成する代わりに、弾性スリーブ１７の外周面全体の径をつば１８の径と同じ大きさに形成することができる。
【００１７】
以上の吊り下げ装置は、図１に示すように、壁２０の段部２１に沿って水平方向に吊り下げレール１を取り付け、その吊り下げレール１の後板２と前縁５の間に、吊り下げ具１０の係合爪１２を嵌合させ、絵画等を吊るす位置に吊り下げ具１０を移動させる。
【００１８】
そして、弾性スリーブ１７のつば１８側からフック１４の先端部１６に挿入し、さらに根元部１５を経て軸部１３に挿入し、つば１８を前縁５下端の位置決め部６に接触させると、振動を受けた場合に吊り下げ具１０が振動しても、吊り下げレール１から外れるのを防止することができる。
【００１９】
次に、第２の実施例を図１、図２、図４に基づいて説明する。
【００２０】
この吊り下げ装置は、第１の実施例の吊り下げ装置と同様に吊り下げレール１と吊り下げ具１０より成り、吊り下げ具１０のフック１４の先端部１６と根元部１５の間に２連リング３０がかけ渡されている。
【００２１】
上記２連リング３０は、図４に示すように、２個の弾性リング３１、３１にフック１４の径に相応した径の孔３２、３２がそれぞれ設けられている。この弾性リング３１、３１は、ブリッジ３３により相互に連結され、眼鏡状に形成されている。
【００２２】
以上の吊り下げ装置は、第１の実施例と同様に、壁２０に吊り下げレール１を取り付け、その吊り下げレール１の後板２と前縁５の間に、吊り下げ具１０の係合爪１２を嵌合させ、絵画を吊るす位置に吊り下げ具１０を移動させる。
【００２３】
次に、図１及び図２に示すように、フック１４の根元部１５を２連リング３０の一方のリング３１の孔３２に挿入し、フック１４に絵画を吊り下げるワイヤ３４を引っかけた後、フック１４の先端部１６を他方のリング３１の孔３２に挿入する。
【００２４】
この場合、フック１４の先端部１６と根元部１５の間に２連リング３０をかけ渡したので、振動を受けた場合にフック１４に引っかけられているワイヤ３４が振動しても、２連リング３０のブリッジ３３によりワイヤ３４がフック１４から外れるのを防止することができる。勿論、前記弾性スリーブ１７及び２連リング３０の双方を同時に使用しても差し支えない。
【００２５】
【効果】
以上のように、第１の発明によれば、弾性スリーブの上端を吊り下げレールの前縁の下端に当接させるようにしたので、振動を受けた場合に吊り下げ具が振動しても、吊り下げ具が吊り下げレールから外れるのを防止することができる。これにより、地震などにより絵画等が落下する事故を防止することができる。
【００２６】
また、第２の発明によれば、フックの先端部と根元部の間に２連リングをかけ渡したので、振動を受けた場合に、フックに引っかけられているワイヤが振動しても、ワイヤがフックから外れるのを防止することができる。これにより、第１の発明と同様に、地震などにより絵画等が落下する事故を防止することができる。
【図面の簡単な説明】
【図１】吊り下げ装置の一例を示す一部省略斜視図
【図２】同上の断面図
【図３】第１の実施例のゴムスリーブを示す斜視図
【図４】第２の実施例の２連リングを示す斜視図
【符号の説明】
１  吊り下げレール
２  後板
３  上板
４  下板
５  前縁
６  位置決め部
７  連結棒挿入部
１０  吊り下げ具
１１  係合部
１２  係合爪
１３  軸部
１４  フック
１５  根元部
１６  先端部
１７  弾性スリーブ
１８  つば
１９  孔
２０  壁
２１  段部
３０  ２連リング
３１  弾性リング
３２  孔
３３  ブリッジ
３４  ワイヤ
【図１】
0003764189.tif 000002
【図２】
0003764189.tif 000003
【図３】
0003764189.tif 000004
【図４】
0003764189.tif 000005